(57)【要約】  開示される技術は、概してフリート間で車両を共用するための方法及びシステムに関する。車両共用サービスは通常、週末の利用が最も多い。したがって、車両共用サービスに使用される車両の多くは平日に遊休している。一方、車両レンタル会社は、平日に需要が最も多く、その車両は週末に十分に利用されていない。開示される技術は、特定の実施形態において、車両共用エンティティ及び車両レンタルエンティティの間で車両を共用するためのシステム及び方法を提供する。これにより、エンティティは、一方のエンティティが需要の急増を見込む時に、フリート間で車両を移動させることによってフリートのコストを低減し、フリートの稼働を効率化することができる。例えば、車両共用サービスが車両レンタル会社の週末の過剰在庫を利用できることで、追加の車両を購入及び維持する必要なく週末の強い需要を満たせるようになる。【選択図】図１
2017519270.tif 000002
【特許請求の範囲】
【請求項１】
２つ以上のエンティティ間で共用資産のフリートを共用するための方法であって、
共用資産に関連する制御端末から、識別子を含む、物理的に前記共用資産にアクセスする要求をコンピューティングデバイスのプロセッサにより受信することと、
前記物理的に前記共用資産にアクセスする要求を受信した後、前記識別子が前記要求を受信した時間が含まれる所定の時間窓の前記共用資産の予約に関連する識別子と実質的にマッチするかどうかを前記プロセッサにより判断し、その後、前記共用資産へのアクセスを許可する信号をネットワークを介して前記プロセッサにより前記制御端末に送信することと、
前記識別子が有効であると判断した後、前記共用資産に関連するフリートデータを前記プロセッサにより更新して、前記フリートデータを第１のエンティティに関連する第１のフリートから第２のエンティティに関連する第２のフリートに変更することと、を含む方法。
【請求項２】
前記制御端末から、前記共用資産を返却する要求を前記プロセッサにより受信することと、
前記共用資産に関連するフリートデータを前記プロセッサにより更新して、前記フリートデータを前記第２のフリートから前記第１のフリートに変更することと、を含む請求項１に記載の方法。
【請求項３】
前記物理的に前記共用資産にアクセスする要求は、前記共用資産をロック解除する要求である、請求項１又は２に記載の方法。
【請求項４】
前記物理的に前記共用資産にアクセスする要求は、前記共用資産のドアをロック解除する要求である、請求項３に記載の方法。
【請求項５】
前記制御端末は、前記共用資産に関連するロックと相互作用して、前記信号に基づいて物理的に前記共用資産にアクセスできるように構成されている、請求項１から４のいずれか一項に記載の方法。
【請求項６】
前記共用資産は共用車両である、請求項１から５のいずれか一項に記載の方法。
【請求項７】
前記第１のエンティティは車両レンタルエンティティであり、前記第２のエンティティは車両共用エンティティである、請求項１から６のいずれか一項に記載の方法。
【請求項８】
前記識別子が有効であると判断した後、前記共用資産に関連するロケーションデータを前記プロセッサにより更新して、前記共用資産に関連するロケーションデータを前記第２のフリート内の第１のロケーションから前記第２のフリート内の第２のロケーションに変更することを含む、請求項１から７のいずれか一項に記載の方法。
【請求項９】
前記第１のロケーションはサービスロケーション及びステージングロケーションのうちの少なくとも１つであり、前記第２のロケーションは収益発生ロケーションである、請求項８に記載の方法。
【請求項１０】
前記共用資産のロケーションは、駐車場、駐車スポット、サービスロケーション、及びステージングロケーションのうちの少なくとも１つを含む、請求項８又は９に記載の方法。
【請求項１１】
前記共用資産のロケーションは、区、州、市、町、大都市圏、郡、及び国のうちの少なくとも１つを含む、請求項８から１０のいずれか一項に記載の方法。
【請求項１２】
前記ロケーションデータは、ダウンタイム及び利用度を追跡するのに使用される、請求項８から１１のいずれか一項に記載の方法。
【請求項１３】
前記共用資産に関連する前記ロケーションデータに対する変更を前記プロセッサにより追跡することを含む、請求項８から１２のいずれか一項に記載の方法。
【請求項１４】
前記共用資産がいつサービスロケーション又はステージングロケーションから収益発生ロケーションに移動したかを前記プロセッサにより追跡することを含む、請求項８から１３のいずれか一項に記載の方法。
【請求項１５】
利用度、ダウンタイム、駐車費用、保険費用、保守費用及び減価償却費のうちの少なくとも１つを、前記共用資産が前記第１のロケーション及び前記第２のロケーションに割り当てられた時間の長さに少なくとも部分的に基づいて前記プロセッサにより計算することを含む、請求項８から１４のいずれか一項に記載の方法。
【請求項１６】
前記共用資産がいつ配備されたかを前記プロセッサにより追跡することを含む、請求項１から１５のいずれか一項に記載の方法。
【請求項１７】
前記共用資産に関連する前記フリートデータに対する変更を前記プロセッサにより追跡することを含む、請求項１から１６のいずれか一項に記載の方法。
【請求項１８】
前記ネットワークは、無線ネットワーク及びモバイルデータネットワークのうちの少なくとも１つである、請求項１から１７のいずれか一項に記載の方法。
【請求項１９】
指定されたフリート内のすべての共用資産を前記プロセッサにより特定することを含む、請求項１から１８のいずれか一項に記載の方法。
【請求項２０】
ユーザ指定ロケーションのすべての共用資産を前記プロセッサにより特定することを含む、請求項１から１９のいずれか一項に記載の方法。
【請求項２１】
利用度、ダウンタイム、駐車費用、保険費用、保守費用及び減価償却費のうちの少なくとも１つを、前記共用資産が前記第１のフリート及び前記第２のフリートのそれぞれに割り当てられた時間の長さに少なくとも部分的に基づいて前記プロセッサにより計算することを含む、請求項１から２０のいずれか一項に記載の方法。
【請求項２２】
２つ以上のエンティティ間で共用資産のフリートを共用するための方法であって、
データベースに格納され、複数の共用資産のそれぞれに関連するフリートデータを第１のエンティティに関連する第１のフリートから第２のエンティティに関連する第２のフリートに変更し、これにより前記複数の共用資産のそれぞれを前記第２のフリートに割り当てることによって、前記第１のエンティティ及び前記第２のエンティティ間で前記複数の共用資産を移動させる要求を、コンピューティングデバイスのプロセッサにより受信することと、
前記複数の共用資産に関連するフリートデータを前記プロセッサにより更新して、前記フリートデータを前記第１のフリートから前記第２のフリートに変更することと、
利用度、ダウンタイム、駐車費用、保険費用、保守費用及び減価償却費のうちの少なくとも１つを、前記複数の共用資産のそれぞれが前記第１のフリート及び前記第２のフリートのそれぞれに割り当てられた時間の長さに少なくとも部分的に基づいて前記プロセッサにより計算することと、を含む方法。
【請求項２３】
前記複数の共用資産を前記第２のフリート内の第１のロケーションから前記第２のフリート内の第２のロケーションに派遣する要求を前記プロセッサにより受信することと、
前記複数の共用資産のそれぞれに関連するロケーションデータを前記プロセッサにより更新して、前記ロケーションデータを前記第２のフリート内の前記第１のロケーション（例えばサービスロケーション）から前記第２のフリート内の前記第２のロケーション（例えば収益ロケーション）に変更することと、を含む請求項２２に記載の方法。
【請求項２４】
前記複数の共用資産のそれぞれに関連するロケーションデータを更新して、前記ロケーションデータを前記第２のフリート内の前記第１のロケーションから前記第２のフリート内の前記第２のロケーションに変更することは同時に行われる、請求項２３に記載の方法。
【請求項２５】
前記第１のロケーションはサービスロケーションであり、前記第２のロケーションは収益ロケーションである、請求項２３又は２４に記載の方法。
【請求項２６】
前記第１のロケーションはサービスロケーション及びステージングロケーションのうちの少なくとも１つであり、前記第２のロケーションは収益発生ロケーションである、請求項２３から２５のいずれか一項に記載の方法。
【請求項２７】
前記複数の共用資産のそれぞれの前記ロケーションデータは、駐車場、駐車スポット、サービスロケーション、及びステージングロケーションのうちの少なくとも１つを含む、請求項２３から２６のいずれか一項に記載の方法。
【請求項２８】
前記複数の共用資産のそれぞれの前記ロケーションデータは、区、州、市、町、大都市圏、郡、及び国のうちの少なくとも１つを含む、請求項２３から２７のいずれか一項に記載の方法。
【請求項２９】
前記ロケーションデータは、ダウンタイム及び利用度を追跡するのに使用される、請求項２３から２８のいずれか一項に記載の方法。
【請求項３０】
前記複数の共用資産のそれぞれがいつサービスロケーション又はステージングロケーションから収益発生ロケーションに移動したかを前記プロセッサにより追跡することを含む、請求項２３から２９のいずれか一項に記載の方法。
【請求項３１】
前記複数の共用資産のそれぞれの前記ロケーションデータに対する変更を前記プロセッサにより追跡することを含む、請求項２３から３０のいずれか一項に記載の方法。
【請求項３２】
利用度、ダウンタイム、駐車費用、保険費用、保守費用及び減価償却費のうちの少なくとも１つを、前記複数の共用資産のそれぞれが前記第１のロケーション及び前記第２のロケーションに割り当てられた時間の長さに少なくとも部分的に基づいて前記プロセッサにより計算することを含む、請求項２３から３１のいずれか一項に記載の方法。
【請求項３３】
前記複数の共用資産のそれぞれは共用車両である、請求項２２から３２のいずれか一項に記載の方法。
【請求項３４】
前記第１のエンティティは資産共用エンティティであり、前記第２のエンティティは資産レンタルエンティティである、請求項２２から３３のいずれか一項に記載の方法。
【請求項３５】
前記資産共用エンティティは車両共用エンティティであり、前記共用資産レンタルエンティティは車両レンタルエンティティである、請求項３４に記載の方法。
【請求項３６】
前記複数の共用資産のそれぞれの前記フリートデータに対する変更を前記プロセッサにより追跡することを含む、請求項２２から３５のいずれか一項に記載の方法。
【請求項３７】
前記複数の共用資産のそれぞれがいつ配備されたかを前記プロセッサにより追跡することを含む、請求項２２から３６のいずれか一項に記載の方法。
【請求項３８】
指定されたフリート内のすべての共用資産を前記プロセッサにより特定することを含む、請求項２２から３７のいずれか一項に記載の方法。
【請求項３９】
ユーザ指定ロケーションのすべての共用資産を前記プロセッサにより特定することを含む、請求項２２から３８のいずれか一項に記載の方法。
【請求項４０】
２つ以上のエンティティ間で共用資産のフリートを共用するためのフリート共用システムであって、
命令を格納するメモリと、
前記命令を実行するためのプロセッサと、を有し、
前記命令は、前記プロセッサにより実行される時、
データベースに格納され、複数の共用資産に関連するフリートデータを第１のエンティティに関連する第１のフリートから第２のエンティティに関連する第２のフリートに変更することによって、前記第１のエンティティ及び前記第２のエンティティ間で前記複数の共用資産を移動させる要求を受信することと、
前記複数の共用資産に関連するフリートデータを更新して、前記フリートデータを前記第１のフリートから前記第２のフリートに変更することと、
利用度、ダウンタイム、駐車費用、保険費用、保守費用及び減価償却費のうちの少なくとも１つを、前記複数の共用資産のそれぞれが前記第１のフリート及び前記第２のフリートのそれぞれに割り当てられた時間（例えば時間の長さ）に少なくとも部分的に基づいて計算することと、をプロセッサに行わせる、フリート共用システム。
【請求項４１】
前記命令は、前記プロセッサにより実行される時、
前記複数の共用資産を前記第２のフリート内の第１のロケーションから、選択されたフリート内の第２のロケーションに派遣する要求を受信することと、
前記複数の共用資産のそれぞれに関連するロケーションデータを更新して、前記ロケーションデータを前記選択されたフリート内の前記第１のロケーションから前記選択されたフリート内の前記第２のロケーションに変更することと、をプロセッサに行わせる、請求項４０に記載のフリート共用システム。
【請求項４２】
前記複数の共用資産のそれぞれに関連するロケーションデータを更新して、前記ロケーションデータを前記第２のフリート内の前記第１のロケーションから前記第２のフリート内の前記第２のロケーションに変更することは同時に行われる、請求項４１に記載のフリート共用システム。
【請求項４３】
前記第１のロケーションはサービスロケーションであり、前記第２のロケーションは収益ロケーションである、請求項４１又は４２に記載のフリート共用システム。
【請求項４４】
前記第１のロケーションはサービスロケーション及びステージングロケーションのうちの少なくとも１つであり、前記第２のロケーションは収益発生ロケーションである、請求項４１から４３のいずれか一項に記載のフリート共用システム。
【請求項４５】
前記複数の共用資産のそれぞれの前記ロケーションデータは、駐車場、駐車スポット、サービスロケーション、及びステージングロケーションのうちの少なくとも１つを含む、請求項４１から４４のいずれか一項に記載のフリート共用システム。
【請求項４６】
前記複数の共用資産のそれぞれの前記ロケーションデータは、区、州、市、町、大都市圏、郡、及び国のうちの少なくとも１つを含む、請求項４１から４５のいずれか一項に記載のフリート共用システム。
【請求項４７】
前記ロケーションデータは、ダウンタイム及び利用度を追跡するのに使用される、請求項４１から４６のいずれか一項に記載のフリート共用システム。
【請求項４８】
前記命令は、前記プロセッサにより実行される時、
前記複数の共用資産のそれぞれが、いつサービスロケーション又はステージングロケーションから収益発生ロケーションに移動したかを追跡することを前記プロセッサに行わせる、請求項４１から４７のいずれか一項に記載のフリート共用システム。
【請求項４９】
前記命令は、前記プロセッサにより実行される時、
前記複数の共用資産のそれぞれの前記ロケーションデータに対する変更を追跡することを前記プロセッサに行わせる、請求項４１から４８のいずれか一項に記載のフリート共用システム。
【請求項５０】
前記命令は、前記プロセッサにより実行される時、
利用度、ダウンタイム、駐車費用、保険費用、保守費用及び減価償却費のうちの少なくとも１つを、前記複数の共用資産のそれぞれが前記第１のロケーション及び前記第２のロケーションのそれぞれに割り当てられた時間の長さに少なくとも部分的に基づいて計算することを前記プロセッサに行わせる、請求項４１から４９のいずれか一項に記載のフリート共用システム。
【請求項５１】
前記複数の共用資産のそれぞれは共用車両である、請求項４０から５０のいずれか一項に記載のフリート共用システム。
【請求項５２】
前記第１のエンティティは資産共用エンティティであり、前記第２のエンティティは資産レンタルエンティティである、請求項４０から５１のいずれか一項に記載のフリート共用システム。
【請求項５３】
前記資産共用エンティティは車両共用エンティティであり、前記共用資産レンタルエンティティは車両レンタルエンティティである、請求項５２に記載のフリート共用システム。
【請求項５４】
前記命令は、前記プロセッサにより実行される時、
前記複数の共用資産のそれぞれの前記フリートデータに対する変更を追跡することを前記プロセッサに行わせる、請求項４０から５３のいずれか一項に記載のフリート共用システム。
【請求項５５】
前記命令は、前記プロセッサにより実行される時、
前記複数の共用資産のそれぞれがいつ配備されたかを追跡することを前記プロセッサに行わせる、請求項４０から５４のいずれか一項に記載のフリート共用システム。
【請求項５６】
前記命令は、前記プロセッサにより実行される時、
指定されたフリート内のすべての共用資産を特定することを前記プロセッサに行わせる、請求項４０から５５のいずれか一項に記載のフリート共用システム。
【請求項５７】
前記命令は、前記プロセッサにより実行される時、
ユーザ指定ロケーションのすべての共用資産を特定することを前記プロセッサに行わせる、請求項４０から５６のいずれか一項に記載のフリート共用システム。
【請求項５８】
２つ以上のエンティティ間で共用資産のフリートを共用するためのフリート共用システムであって、
命令を格納するメモリと、
前記命令を実行するためのプロセッサと、を有し、
前記命令は、前記プロセッサにより実行される時、
共用資産に関連する制御端末から、識別子を含む、物理的に前記共用資産にアクセスする要求を受信することと、
前記物理的に前記共用資産にアクセスする要求を受信した後、前記識別子が、前記要求を受信した時間が含まれる所定の時間窓の前記共用資産の予約に関連する識別子と実質的にマッチするかどうかを判断し、その後、前記共用資産へのアクセスを許可する信号を前記プロセッサによりネットワークを介して前記制御端末に送信することと、
前記識別子が有効であると判断した後、前記共用資産に関連するフリートデータを更新して、前記フリートデータを第１のエンティティに関連する第１のフリートから第２のエンティティに関連する第２のフリートに変更することと、を前記プロセッサに行わせる、フリート共用システム。
【請求項５９】
前記命令は、前記プロセッサにより実行される時、
前記制御端末から、前記共用資産を返却する要求を受信することと、
前記共用資産に関連するフリートデータを更新して、前記フリートデータを前記第２のフリートから前記第１のフリートに変更することと、を前記プロセッサに行わせる、請求項５８に記載のフリート共用システム。
【請求項６０】
前記物理的に前記共用資産にアクセスする要求は、前記共用資産をロック解除する要求である、請求項５８又は５９に記載のフリート共用システム。
【請求項６１】
前記物理的に前記共用資産にアクセスする要求は、前記共用資産のドアをロック解除する要求である、請求項６０に記載のフリート共用システム。
【請求項６２】
前記制御端末は、前記共用資産に関連するロックと相互作用して、前記信号に基づいて物理的に前記共用資産にアクセスできるように構成されている、請求項５８から６１のいずれか一項に記載のフリート共用システム。
【請求項６３】
前記共用資産は共用車両である、請求項５８から６２のいずれか一項に記載のフリート共用システム。
【請求項６４】
前記第１のエンティティは車両レンタルエンティティであり、前記第２のエンティティは車両共用エンティティである、請求項５８から６３のいずれか一項に記載のフリート共用システム。
【請求項６５】
前記命令は、前記プロセッサにより実行される時、
前記識別子が有効であると判断した後、前記共用資産に関連するロケーションデータを更新して、前記共用資産に関連するロケーションデータを前記第２のフリート内の第１のロケーションから前記第２のフリート内の第２のロケーションに変更することを前記プロセッサに行わせる、請求項５８から６４のいずれか一項に記載のフリート共用システム。
【請求項６６】
前記第１のロケーションは、サービスロケーション及びステージングロケーションのうちの少なくとも１つであり、前記第２のロケーションは、収益発生ロケーションである、請求項６５に記載のフリート共用システム。
【請求項６７】
前記共用資産のロケーションは、駐車場、駐車スポット、サービスロケーション、及びステージングロケーションのうちの少なくとも１つを含む、請求項６５又は６６に記載のフリート共用システム。
【請求項６８】
前記共用資産のロケーションは、区、州、市、町、大都市圏、郡、及び国のうちの少なくとも１つを含む、請求項６５から６７のいずれか一項に記載のフリート共用システム。
【請求項６９】
前記ロケーションデータは、ダウンタイム及び利用度を追跡するのに使用される、請求項６５から６８のいずれか一項に記載のフリート共用システム。
【請求項７０】
前記命令は、前記プロセッサにより実行される時、
前記共用資産に関連する前記ロケーションデータに対する変更を追跡することを前記プロセッサに行わせる、請求項６５から６９のいずれか一項に記載のフリート共用システム。
【請求項７１】
前記命令は、前記プロセッサにより実行される時、
前記共用資産がいつサービスロケーション又はステージングロケーションから収益発生ロケーションに移動したかを追跡することを前記プロセッサに行わせる、請求項６５から７０のいずれか一項に記載のフリート共用システム。
【請求項７２】
前記命令は、前記プロセッサにより実行される時、
利用度、ダウンタイム、駐車費用、保険費用、保守費用及び減価償却費のうちの少なくとも１つを、前記共用資産が前記第１のロケーション及び前記第２のロケーションに割り当てられた時間の長さに少なくとも部分的に基づいて計算することを前記プロセッサに行わせる、請求項６５から７１のいずれか一項に記載のフリート共用システム。
【請求項７３】
前記命令は、前記プロセッサにより実行される時、
前記共用資産がいつ配備されたかを追跡することを前記プロセッサに行わせる、請求項５８から７２のいずれか一項に記載のフリート共用システム。
【請求項７４】
前記命令は、前記プロセッサにより実行される時、
前記共用資産に関連する前記フリートデータに対する変更を追跡することを前記プロセッサに行わせる、請求項５８から７３のいずれか一項に記載のフリート共用システム。
【請求項７５】
前記ネットワークは、無線ネットワーク及びモバイルデータネットワークのうちの少なくとも１つである、請求項５８から７４のいずれか一項に記載のフリート共用システム。
【請求項７６】
前記命令は、前記プロセッサにより実行される時、
指定されたフリート内のすべての共用資産を特定することを前記プロセッサに行わせる、請求項５８から７５のいずれか一項に記載のフリート共用システム。
【請求項７７】
前記命令は、前記プロセッサにより実行される時、
ユーザ指定ロケーションのすべての共用資産を特定することを前記プロセッサに行わせる、請求項５８から７６のいずれか一項に記載のフリート共用システム。
【請求項７８】
前記命令は、前記プロセッサにより実行される時、
利用度、ダウンタイム、駐車費用、保険費用、保守費用及び減価償却費のうちの少なくとも１つを、前記共用資産が前記第１のフリート及び前記第２のフリートのそれぞれに割り当てられた時間の長さに少なくとも部分的に基づいて計算することを前記プロセッサに行わせる、請求項５８から７７のいずれか一項に記載のフリート共用システム。
【発明の詳細な説明】
【技術分野】
【０００１】
（関連出願の相互参照）
本出願は、「Ｓｙｓｔｅｍｓ  ａｎｄ  Ｍｅｔｈｏｄｓ  ｆｏｒ  Ｖｅｈｉｃｌｅ  Ｆｌｅｅｔ  Ｓｈａｒｉｎｇ」と題する２０１４年４月１４日出願の米国仮特許出願第６１／９７９，４６０号に対する優先権及び利益を主張し、参照によりその全体が本明細書に組み込まれる。
【０００２】
本明細書には、車両の利用率を上昇させ、会社がオーバーヘッドコストを削減できるように、車両レンタルフリート及び車両共用フリート間で車両を共用するための方法及びシステムが記載されている。
【背景技術】
【０００３】
開示される技術は、概してフリート間で車両を共用することに関する。車両共用会社は、料金と引き換えに短期間、多くは時間単位で車両を利用する権利を消費者に与える。車両共用サービスは通常、お使いに行く等、消費者が短期間車両を必要とする週末に最も需要がある。車両共用サービスに使用できる車両は、消費者が仕事をしている平日は十分に利用されていないことが多い。一方、車両レンタル会社は、長期間、通常は日単位で車両を借りる権利を消費者に与えることが多い。車両レンタル会社は、消費者が移動をしている平日に需要が最も多いことが多く、週末に車両が十分に利用されていないことが多い。
【発明の概要】
【発明が解決しようとする課題】
【０００４】
したがって、共用車両の利用率を上昇させ、会社がオーバーヘッドコストを削減できるように、車両レンタルフリート及び車両共用フリート間での車両の共用を促進するためのシステム及び方法が必要である。
【課題を解決するための手段】
【０００５】
開示される技術は、概してフリート間で車両を共用するための方法及びシステムに関する。開示される技術は、特定の実施形態において、車両共用エンティティ及び車両レンタルエンティティ間で車両を共用するためのシステム及び方法を提供する。これにより、エンティティは、一方のエンティティが需要の急増を見込む時に、フリート間で車両を移動させることによりフリートコストを低減し、フリートの稼働を効率化することができる。
【０００６】
例えば、車両レンタルエンティティは、車両共用エンティティがピーク需要を経験し、車両レンタル会社の車両が遊休している週末に、車両共用エンティティが車両の一部を使用することを許可することができる。全体として、会社のフリート需要は、車両を共用できるために減少する。各車両は、遊休しているよりも収益を挙げることにもっと時間を費やすことにより、車両の利用率が改善する。また、車両共用サービスが車両レンタル会社の週末の過剰在庫を利用できることで、追加の車両を購入及び維持する必要なく週末の強い需要を満たせるようになる。
【０００７】
また、フリートの共用により、エンティティは遊休車両の駐車スペースに関する負荷を軽減することができる。例えば、車両共用サービスは通常、車両を市街地の便利な場所に駐車させている。車両共用サービスからの車両を車両レンタル会社と共用することで、車両サービスが平日に必要とする駐車スペースの数を減らし、したがって、車両共用サービスに関連する駐車費用を減らすことができる。
【０００８】
開示される技術は、一態様において、２つ以上のエンティティ間で共用資産のフリートを共用するための方法を含む。特定の実施形態において、方法は、共用資産に関連する制御端末から、識別子を含む、物理的に共用資産にアクセスする要求をコンピューティングデバイスのプロセッサにより受信することと、物理的に共用資産にアクセスする要求を受信した後、識別子が要求を受信した時間が含まれる所定の時間窓の共用資産の予約に関連する識別子と実質的にマッチするかどうかをプロセッサにより判断し、その後、共用資産へのアクセスを許可する信号を、ネットワークを介してプロセッサにより制御端末に送信することと、識別子が有効であると判断した後、共用資産に関連するフリートデータをプロセッサにより更新して、フリートデータを第１のエンティティに関連する第１のフリートから第２のエンティティに関連する第２のフリートに変更することと、を含む。
【０００９】
方法は、特定の実施形態において、共用資産を返却する要求を制御端末からプロセッサにより受信することと、共用資産に関連するフリートデータをプロセッサにより更新して、フリートデータを第２のフリートから第１のフリートに変更することと、を含む。特定の実施形態において、物理的に共用資産にアクセスする要求は、共用資産をロック解除する要求である。特定の実施形態において、物理的に共用資産にアクセスする要求は、共用資産のドアをロック解除する要求である。特定の実施形態において、制御端末は、共用資産に関連するロックと相互作用して、信号に基づいて物理的に共用資産にアクセスできるように構成されている。特定の実施形態において、共用資産は共用車両である。特定の実施形態において、第１のエンティティは車両レンタルエンティティであり、第２のエンティティは車両共用エンティティである。
【００１０】
特定の実施形態において、方法は、識別子が有効であると判断した後、共用資産に関連するロケーションデータをプロセッサにより更新して、共用資産に関連するロケーションデータを第２のフリート内の第１のロケーションから第２のフリート内の第２のロケーションに変更することを含む。
【００１１】
特定の実施形態において、第１のロケーションは、サービスロケーション及びステージングロケーションのうちの少なくとも１つであり、第２のロケーションは、収益発生ロケーションである。特定の実施形態において、共用資産のロケーションは、駐車場、駐車スポット、サービスロケーション、及びステージングロケーションのうちの少なくとも１つを含む。特定の実施形態において、共用資産のロケーションは、区、州、市、町、大都市圏、郡、及び国のうちの少なくとも１つを含む。特定の実施形態において、ロケーションデータは、ダウンタイム及び利用度を追跡するのに使用される。
【００１２】
特定の実施形態において、方法は、共用資産に関連するロケーションデータに対する変更をプロセッサにより追跡することを含む。特定の実施形態において、方法は、共用資産がいつサービスロケーション又はステージングロケーションから収益発生ロケーションに移動されたかをプロセッサにより追跡することを含む。特定の実施形態において、方法は、利用度、ダウンタイム、駐車費用、保険費用、保守費用及び減価償却費のうちの少なくとも１つを、共用資産が第１のロケーション及び第２のロケーションに割り当てられた時間の長さに少なくとも部分的に基づいてプロセッサにより計算することを含む。特定の実施形態において、方法は、共用資産がいつ配備されたかをプロセッサにより追跡することを含む。特定の実施形態において、方法は、共用資産に関連するフリートデータに対する変更をプロセッサにより追跡することを含む。
【００１３】
特定の実施形態において、ネットワークは、無線ネットワーク及びモバイルデータネットワークのうちの少なくとも１つである。
【００１４】
特定の実施形態において、方法は、指定されたフリート内のすべての共用資産をプロセッサにより特定することを含む。特定の実施形態において、方法は、ユーザ指定ロケーションのすべての共用資産をプロセッサにより特定することを含む。特定の実施形態において、方法は、利用度、ダウンタイム、駐車費用、保険費用、保守費用及び減価償却費のうちの少なくとも１つを、共用資産が第１のフリート及び第２のフリートのそれぞれに割り当てられた時間の長さに少なくとも部分的に基づいてプロセッサにより計算することを含む。
【００１５】
開示される技術は、一態様において、２つ以上のエンティティ間で共用資産のフリートを共用するための方法を含む。特定の実施形態において、方法は、データベースに格納され、複数の共用資産のそれぞれに関連するフリートデータを第１のエンティティに関連する第１のフリートから第２のエンティティに関連する第２のフリートに変更し、これにより複数の共用資産のそれぞれを第２のフリートに割り当てることによって、第１のエンティティ及び第２のエンティティ間で複数の共用資産を移動させる要求を、コンピューティングデバイスのプロセッサにより受信することと、複数の共用資産に関連するフリートデータをプロセッサにより更新して、フリートデータを第１のフリートから第２のフリートに変更することと、利用度、ダウンタイム、駐車費用、保険費用、保守費用及び減価償却費のうちの少なくとも１つを、複数の共用資産のそれぞれが第１のフリート及び第２のフリートのそれぞれに割り当てられた時間の長さに少なくとも部分的に基づいてプロセッサにより計算することと、を含む。
【００１６】
特定の実施形態において、方法は、複数の共用資産を第２のフリート内の第１のロケーションから第２のフリート内の第２のロケーションに派遣する要求をプロセッサにより受信することと、複数の共用資産のそれぞれに関連するロケーションデータをプロセッサにより更新して、ロケーションデータを第２のフリート内の第１のロケーション（例えばサービスロケーション）から第２のフリート内の第２のロケーション（例えば収益ロケーション）に変更することと、を含む。
【００１７】
特定の実施形態において、複数の共用資産のそれぞれに関連するロケーションデータを更新して、ロケーションデータを第２のフリート内の第１のロケーションから第２のフリート内の第２のロケーションに変更することは同時に行われる。特定の実施形態において、第１のロケーションはサービスロケーションであり、第２のロケーションは収益ロケーションである。特定の実施形態において、第１のロケーションはサービスロケーション及びステージングロケーションのうちの少なくとも１つであり、第２のロケーションは収益発生ロケーションである。特定の実施形態において、複数の共用資産のそれぞれのロケーションデータは、駐車場、駐車スポット、サービスロケーション、及びステージングロケーションのうちの少なくとも１つを含む。特定の実施形態において、複数の共用資産のそれぞれのロケーションデータは、区、州、市、町、大都市圏、郡、及び国のうちの少なくとも１つを含む。特定の実施形態において、ロケーションデータは、ダウンタイム及び利用度を追跡するのに使用される。
【００１８】
特定の実施形態において、方法は、複数の共用資産のそれぞれがいつサービスロケーション又はステージングロケーションから収益発生ロケーションに移動したかをプロセッサにより追跡することを含む。
【００１９】
特定の実施形態において、方法は、複数の共用資産のそれぞれのロケーションデータに対する変更をプロセッサにより追跡することを含む。
【００２０】
特定の実施形態において、方法は、利用度、ダウンタイム、駐車費用、保険費用、保守費用及び減価償却費のうちの少なくとも１つを、複数の共用資産のそれぞれが第１のロケーション及び第２のロケーションのそれぞれに割り当てられた時間の長さに少なくとも部分的に基づいてプロセッサにより計算することを含む。
【００２１】
特定の実施形態において、複数の共用資産のそれぞれは共用車両である。特定の実施形態において、第１のエンティティは資産共用エンティティであり、第２のエンティティは資産レンタルエンティティである。特定の実施形態において、資産共用エンティティは車両共用エンティティであり、共用資産レンタルエンティティは車両レンタルエンティティである。
【００２２】
特定の実施形態において、方法は、複数の共用資産のそれぞれのフリートデータに対する変更をプロセッサにより追跡することを含む。特定の実施形態において、方法は、複数の共用資産のそれぞれがいつ配備されたかをプロセッサにより追跡することを含む。特定の実施形態において、方法は、指定されたフリート内のすべての共用資産をプロセッサにより特定することを含む。特定の実施形態において、方法は、ユーザ指定ロケーションのすべての共用資産をプロセッサにより特定することを含む。
【００２３】
開示される技術は、一態様において、２つ以上のエンティティ間で共用資産のフリートを共用するためのフリート共用システムを含む。特定の実施形態では、システムは、命令を格納するメモリと、命令を実行するためのプロセッサとを有し、命令は、プロセッサにより実行される時、データベースに格納され、複数の共用資産に関連するフリートデータを、第１のエンティティに関連する第１のフリートから第２のエンティティに関連する第２のフリートに変更することによって第１のエンティティ及び第２のエンティティ間で複数の共用資産を移動させる要求を受信することと、複数の共用資産に関連するフリートデータを更新して、フリートデータを第１のフリートから第２のフリートに変更することと、利用度、ダウンタイム、駐車費用、保険費用、保守費用及び減価償却費のうちの少なくとも１つを、複数の共用資産のそれぞれが第１のフリート及び第２のフリートのそれぞれに割り当てられた時間（例えば時間の長さ）に少なくとも部分的に基づいて計算することと、をプロセッサに行わせる。
【００２４】
特定の実施形態において、命令は、プロセッサにより実行される時、複数の共用資産を第２のフリート内の第１のロケーションから、選択されたフリート内の第２のロケーションに派遣する要求を受信することと、複数の共用資産のそれぞれに関連するロケーションデータを更新して、ロケーションデータを選択されたフリート内の第１のロケーションから、選択されたフリート内の第２のロケーションに変更することと、をプロセッサに行わせる。
【００２５】
特定の実施形態において、複数の共用資産のそれぞれに関連するロケーションデータを更新して、ロケーションデータを第２のフリート内の第１のロケーションから第２のフリート内の第２のロケーションに変更することは同時に行われる。
【００２６】
特定の実施形態において、第１のロケーションはサービスロケーションであり、第２のロケーションは収益ロケーションである。特定の実施形態において、第１のロケーションはサービスロケーション及びステージングロケーションのうちの少なくとも１つであり、第２のロケーションは収益発生ロケーションである。特定の実施形態において、複数の共用資産のそれぞれのロケーションデータは、駐車場、駐車スポット、サービスロケーション、及びステージングロケーションのうちの少なくとも１つを含む。特定の実施形態において、複数の共用資産のそれぞれのロケーションデータは、区、州、市、町、大都市圏、郡、及び国のうちの少なくとも１つを含む。特定の実施形態において、ロケーションデータは、ダウンタイム及び利用度を追跡するのに使用される。
【００２７】
特定の実施形態において、命令は、プロセッサにより実行される時、複数の共用資産のそれぞれがいつサービスロケーション又はステージングロケーションから収益発生ロケーションに移動されたかを追跡することをプロセッサに行わせる。
【００２８】
特定の実施形態において、命令は、プロセッサにより実行される時、複数の共用資産のそれぞれのロケーションデータに対する変更を追跡することをプロセッサに行わせる。
【００２９】
特定の実施形態において、命令は、プロセッサにより実行される時、利用度、ダウンタイム、駐車費用、保険費用、保守費用及び減価償却費のうちの少なくとも１つを、複数の共用資産のそれぞれが第１のロケーション及び第２のロケーションのそれぞれに割り当てられた時間の長さに少なくとも部分的に基づいて計算することをプロセッサに行わせる。
【００３０】
特定の実施形態において、複数の共用資産のそれぞれは共用車両である。特定の実施形態において、第１のエンティティは資産共用エンティティであり、第２のエンティティは資産レンタルエンティティである。特定の実施形態において、資産共用エンティティは車両共用エンティティであり、共用資産レンタルエンティティは車両レンタルエンティティである。
【００３１】
特定の実施形態において、命令は、プロセッサにより実行される時、複数の共用資産のそれぞれのフリートデータに対する変更を追跡することをプロセッサに行わせる。特定の実施形態において、命令は、プロセッサにより実行される時、複数の共用資産のそれぞれがいつ配備されたかを追跡することをプロセッサに行わせる。
【００３２】
特定の実施形態において、命令は、プロセッサにより実行される時、指定されたフリート内のすべての共用資産を特定することをプロセッサに行わせる。特定の実施形態において、命令は、プロセッサにより実行される時、ユーザ指定ロケーションのすべての共用資産を特定することをプロセッサに行わせる。
【００３３】
開示される技術は、一態様において、２つ以上のエンティティ間で共用資産のフリートを共用するためのフリート共用システムを含む。システムは、命令を格納するメモリと、命令を実行するためのプロセッサとを有し、命令は、プロセッサにより実行される時、共用資産に関連する制御端末から、識別子を含む、物理的に共用資産にアクセスする要求を受信することと、物理的に共用資産にアクセスする要求を受信した後、識別子が、要求を受信した時間が含まれる所定の時間窓の共用資産の予約に関連する識別子と実質的にマッチするかどうかを判断し、その後、共用資産へのアクセスを許可する信号をプロセッサによりネットワークを介して制御端末に送信することと、識別子が有効であると判断した後、共用資産に関連するフリートデータを更新して、フリートデータを第１のエンティティに関連する第１のフリートから第２のエンティティに関連する第２のフリートに変更することと、をプロセッサに行わせる。
【００３４】
特定の実施形態において、命令は、プロセッサにより実行される時、制御端末から、共用資産を返却する要求を受信することと、共用資産に関連するフリートデータを更新して、フリートデータを第２のフリートから第１のフリートに変更することと、をプロセッサに行わせる。
【００３５】
特定の実施形態において、物理的に共用資産にアクセスする要求は、共用資産をロック解除する要求である。特定の実施形態において、物理的に共用資産にアクセスする要求は、共用資産のドアをロック解除する要求である。特定の実施形態において、制御端末は、共用資産に関連するロックと相互作用して、信号に基づいて物理的に共用資産にアクセスできるように構成されている。特定の実施形態において、共用資産は共用車両である。特定の実施形態において、第１のエンティティは車両レンタルエンティティであり、第２のエンティティは車両共用エンティティである。
【００３６】
特定の実施形態において、命令は、プロセッサにより実行される時、識別子が有効であると判断した後、共用資産に関連するロケーションデータを更新して、共用資産に関連するロケーションデータを第２のフリート内の第１のロケーションから第２のフリート内の第２のロケーションに変更することをプロセッサに行わせる。
【００３７】
特定の実施形態において、第１のロケーションは、サービスロケーション及びステージングロケーションのうちの少なくとも１つであり、第２のロケーションは、収益発生ロケーションである。特定の実施形態において、共用資産のロケーションは、駐車場、駐車スポット、サービスロケーション、及びステージングロケーションのうちの少なくとも１つを含む。特定の実施形態において、共用資産のロケーションは、区、州、市、町、大都市圏、郡、及び国のうちの少なくとも１つを含む。特定の実施形態において、ロケーションデータは、ダウンタイム及び利用度を追跡するのに使用される。
【００３８】
特定の実施形態において、命令は、プロセッサにより実行される時、共用資産に関連するロケーションデータに対する変更を追跡することをプロセッサに行わせる。特定の実施形態において、命令は、プロセッサにより実行される時、共用資産がいつサービスロケーション又はステージングロケーションから収益発生ロケーションに移動されたかを追跡することをプロセッサに行わせる。特定の実施形態において、命令は、プロセッサにより実行される時、利用度、ダウンタイム、駐車費用、保険費用、保守費用及び減価償却費のうちの少なくとも１つを、共用資産が第１のロケーション及び第２のロケーションに割り当てられた時間の長さに少なくとも部分的に基づいて計算することをプロセッサに行わせる。特定の実施形態において、命令は、プロセッサにより実行される時、共用資産がいつ配備されたかを追跡することをプロセッサに行わせる。特定の実施形態において、命令は、プロセッサにより実行される時、共用資産に関連するフリートデータに対する変更を追跡することをプロセッサに行わせる。特定の実施形態において、ネットワークは、無線ネットワーク及びモバイルデータネットワークのうちの少なくとも１つである。
【００３９】
特定の実施形態において、命令は、プロセッサにより実行される時、指定されたフリート内のすべての共用資産を特定することをプロセッサに行わせる。特定の実施形態において、命令は、プロセッサにより実行される時、ユーザ指定ロケーションのすべての共用資産を特定することをプロセッサに行わせる。
【００４０】
特定の実施形態において、命令は、プロセッサにより実行される時、利用度、ダウンタイム、駐車費用、保険費用、保守費用及び減価償却費のうちの少なくとも１つを、共用資産が第１のフリート及び第２のフリートのそれぞれに割り当てられた時間の長さに少なくとも部分的に基づいて計算することをプロセッサに行わせる。
【００４１】
本開示の上記及び他の目的、態様、特徴、及び利点は、添付図面に関連して行う以下の説明を参照することによってより明らかになり、かつより良く理解されるであろう。
【図面の簡単な説明】
【００４２】
【図１】２つ以上のエンティティ間での資産の共用を管理するための例示的なシステムの図である。
【図２】２つ以上のエンティティ間で共用資産のフリートを共用するための例示的な方法の図である。
【図３】車両にアクセスする要求を受信した時に、２つのフリート間で共用車両を自動的に移動させるための例示的なシステムの図である。
【図４】２つ以上のエンティティ間で共用資産のフリートを共用するための例示的な方法の図である。
【図５】２つ以上のエンティティ間での資産の共用を管理するための例示的なシステムの図である。
【図６】例示的なクラウドコンピューティング環境のブロック図である。
【図７】コンピューティングデバイス及びモバイルコンピューティングデバイスのブロック図である。
【発明を実施するための形態】
【００４３】
本開示の特徴及び利点は、同様の参照符号が全文書を通して対応する要素を特定する図面と共に以下で述べられる詳細な説明からより明らかになるだろう。一般に、図面において同様の参照符号は、同一の、機能的に類似の、及び／又は構造が類似の要素を表している。
【００４４】
幾つかの実施態様において、開示される技術は、フリート間で車両を共用するためのシステム及び方法を提供する。車両共用会社及び車両レンタル会社は、開示される技術を利用して、共用車両を管理し、フリート費用を削減し、かつ利用度を最適化することができる。例えば、車両レンタル会社か車両共用会社のどちらかが所有する車両群が、ニーズに基づいて２つの会社のフリート間を移動する共用資産として設計され得る。共用車両は、レンタル会社の需要が低く、共用会社の需要がピークに達する週末にレンタル会社から共用会社へと移動され得る。共用車両は、共用会社の車両に対する需要が落ち込み、レンタル会社のフリートに対する需要が増大する週末後にレンタル会社のフリートに戻され得る。これにより、両会社の連結フリート内の各車両の平均利用度を増大させ、連結フリートの規模を小さくすることもできる。したがって、開示される技術は、とりわけ会社が費用を減らすことを可能にする。
【００４５】
開示される技術により、幾つかの実施態様において、２つ以上のフリート（例えば、第１のエンティティに関連する第１のフリート及び第２のエンティティに関連する第２のフリート）間で共用車両を移動及び管理することができる。幾つかの実施態様において、開示される技術により、１つ以上の費用を、各共用車両が各エンティティのフリートに割り当てられた時間の長さに基づいて、各エンティティに帰属させることができるように、各共用車両に関連する各種の費用を計算することが可能になる。
【００４６】
幾つかの実施態様において、車両共用は、顧客が時間単位又は日単位で、有料で運転できる車両を指す。ガソリン代及び保険が含まれ得る。車両共用システムで使用される車両は、近隣、市街地、及び空港に配置され得る。通常、車両共用サービスを利用する顧客は、使用する特定車両（例えば、特定の年、製造元、モデル、及び／又は、特異な車両の場合のＶＩＮ番号）を申し込む（例えば、顧客は、車両共用会社が個人への車両の割り当てを行う車両のクラス又はグループを選択しない）。共用車両は、例えば近くに車両共用会社の物理的なオフィスのない場所に駐車されていて、顧客はしばしば営業職員と接触する必要なく、共用車両を手に入れることができる。車両共用会社の例は、マサチューセッツ州ボストンのＺｉｐｃａｒ，Ｉｎｃ．である。
【００４７】
一方、車両レンタル会社は、幾つかの実施態様において、顧客が日単位で測った任意の期間車両を賃借できるようにする。通常、顧客は、車両レンタルサービスを利用する際、車両のクラス（例えば、小型、中型、又はＳＵＶ）から車両を申し込む。通常、車両は、車両レンタル会社の物理的なオフィスのある場所で手に入れられる。車両レンタル会社の例は、ニュージャージー州パーサイパニー＝トロイ・ヒルズのＡｖｉｓ  Ｒｅｎｔ  Ａ  Ｃａｒ  Ｓｙｓｔｅｍ，ＬＬＣである。
【００４８】
図１は、２つ以上のエンティティ間で共用フリート１１４を管理するための例示的なシステム１００の図である。図１に示すように、システムは、それぞれが独自のコンピュータシステム１２０ａ及び１２０ｂを有する２つのエンティティにより使用され得る。類似のシステムが、それぞれ独自のコンピュータシステムを有する追加のエンティティに実装され得る。第１のエンティティのコンピュータシステム１２０ａは、第２のコンピュータシステム１２０ｂとネットワーク１５０を介して通信する。追加のエンティティがフリート共用プログラムに参加する場合、それらのコンピュータシステムはネットワーク１５０を介してシステム１００に接続する。ネットワークは、インターネット又はイントラネットであり得る。
【００４９】
各コンピュータシステム１２０は、各フリート内の車両の予約を受けることができる。予約は、第１のコンピュータシステム１２０ａにより、例えば携帯電話１３０ａ、ラップトップ１３０ｂ、パーソナルコンピュータ１３０ｃ、タブレット、又はその他のコンピューティングデバイスから受けられ得る。同様に、予約は、第１のコンピュータシステム１２０ｂにより、例えば携帯電話１３０ｆ、ラップトップ１３０ｅ、パーソナルコンピュータ１３０ｄ、タブレット、又はその他のコンピューティングデバイスから受けられ得る。各エンティティのコンピュータシステム１２０は、各エンティティの予約データ１０８をそれぞれ管理する予約モジュール１２２を有する。同様に、各エンティティは、予約データ１０８、フリートデータ１１０、予約状況データ１０６、及びロケーションデータ１１２を格納するデータベース１０４を有する。予約データ１０８は、システムの任意の予約の予約情報を含み得る。予約情報は、予約をした個人、予約した車両又は車両のクラス、後日予約を確認する際に用いる識別子情報、好み、及び他のタイプの予約データに関する情報を含み得る。
【００５０】
各データベース１０４ａ及び１０４ｂのデータは、両データベース１０４ａ及び１０４ｂが同じロケーションデータ１１２、フリートデータ１１０、予約データ１０８、及び予約状況データ１０６を含むようにミラーリングされ得る。幾つかの実施態様において、これらのデータの一部のみが、データベース１０４ａ及び１０４ｂ間でミラーリングされる。例えば、各エンティティは独自の予約データ１０８を管理し得る。幾つかの実施態様において、データベース１０４ａ及び１０４ｂのデータは相補的である（例えばデータベース１０４ａは、第１のエンティティではある車両を所定の時間に予約可能として表示し、データベース１０４ｂは、第２のエンティティではその車両をその所定の時間に予約不可能として表示する）。幾つかの実施態様において、システム１００には、各エンティティがアクセスする単一のデータベースが実装される。他の実施態様において、エンティティはそれぞれ（例えば予約データ１０８のための）データベースを維持し、かつデータベース（例えばフリートデータ１１０及びロケーションデータ１１２を有するデータベース）を共有する。
【００５１】
各データベース１０４ａ及び１０４ｂは、フリートデータ１１０ａ及び１１０ｂをそれぞれ含む。フリートデータ１１０は、共用車両が現在どちらのエンティティに割り当てられているかを特定する。例えば図１に示すように、フリートデータ１１０は、共用車両が第１のエンティティに割り当てられているか、第２のエンティティに割り当てられているかを示し得る。これは、各車両が各エンティティに割り当てられていた時間に基づいて、共用車両に関連する費用を計算するのに使用され得る。この費用は、利用度、ダウンタイム、駐車費用、保険費用、保守費用及び／又は減価償却費を含み得る。幾つかの実施態様において、フリートデータ１１０は、共用車両がどちらのフリートに割り当てられているかを両エンティティが分かるように、データベース１０４ａ及び１０４ｂ間でミラーリングされ得る。
【００５２】
ロケーションデータ１１２は、車両が現在割り当てられているロケーションを特定し得る。例えばこれらのロケーションには、駐車場、駐車スポット、サービスロケーション、ステージングロケーション、及び／又は収益発生ロケーションが含まれ得る。ロケーションデータは、車両が割り当てられる区、州、市、町、大都市圏、郡、及び／又は国に関する情報を含み得る。
【００５３】
各データベース１０４ａ及び１０４ｂは、予約状況データ１０６ａ及び１０６ｂをそれぞれ含み得る。予約状況データは、フリート内の車両がいつ予約可能かを管理するのに使用され得る。幾つかの実施態様において、予約状況データ１０６ａは、第１のエンティティのフリート内の車両（共用フリート１１４内の共用車両を含む）がいつ予約可能かを記述する。同様に幾つかの実施態様において、予約状況データ１０６ｂは、第２のエンティティのフリート内の車両（共用フリート１１４内の共用車両を含む）がいつ予約可能かを記述する。例えば幾つかの実施態様において、共用フリート１１４内の共用車両は、第１のエンティティでは月曜日の予約が可能で、第２のエンティティでは次の火曜日の予約が可能であり得る。予約状況データ１０６ａは、その車両が月曜日に利用可能で火曜日に利用不可能であることを示し、予約状況データ１０６ｂは、その車両が月曜日に利用不可能で火曜日に利用可能であることを示し得る。予約状況データ１０６ａ及び１０６ｂは、アクセスモジュール１２８ａ及び１２８ｂによりそれぞれ管理され得る。アクセスモジュール１２８は、協働して予約状況データ１０６を管理し、各データベース１０４のデータが正確かつ最新であることを保証し得る。
【００５４】
幾つかの実施態様において、コンピュータシステム１２０の各種のモジュールは、各データベース１０４に格納されているデータが変更された時にこれを処理し得る。幾つかの実施態様において、コンピュータシステム１２０の各種のモジュールは、他のデータベースの変更をポーリングし得る。幾つかの実施態様において、コンピュータシステム１２０のモジュールは、各データベース１０４に格納されているデータが変更された時にこれを処理し、かつ他のデータベースの変更を周期的にポーリングし得る。このハイブリッドシステムは、データがミラーリングされているか、又は相補的である場合に、２つのデータベース間で起こり得る時間のずれを減らすのに使用され得る。
【００５５】
コンピュータシステム１２０は、バルク配備モジュール１２４及び／又はバルク移動モジュール１２６を含み得る。幾つかの実施態様において、これらのモジュールのそれぞれは、コンピュータシステム１２０ａ及び１２０ｂのうちの１つにのみ含まれる。幾つかの実施態様において、各コンピュータシステム１２０ａ及び１２０ｂは、バルク配備モジュール１２４ａ及び１２４ｂをそれぞれ有する。幾つかの実施態様において、各コンピュータシステム１２０ａ及び１２０ｂは、バルク移動モジュール１２６ａ及び１２６ｂをそれぞれ有する。
【００５６】
バルク移動モジュール１２６は、複数のフリート間で複数の共用車両を同時に移動させることができる在庫管理ツールである。バルク移動モジュール１２６は、第１のエンティティ及び第２のエンティティ間の共用資産の移動を、共用資産に関連するフリートデータ１１０を第１のエンティティに関連する第１のフリートから第２のエンティティに関連する第２のフリートに変更することにより管理するように構成され得る。
【００５７】
幾つかの実施態様において、バルク移動モジュール１２６は、ユーザが、各フリート内のすべてのサービスロケーション（例えば、システム内でアクティブな収益発生ロケーションにない車両が保持される、アクティブロケーションに行ける状態にある車両のためのステージングエリア等のロケーション、又はサービスのために外に出ている車両が保持されるロケーション）にある、現在グリッドから外れている（例えば、収益発生ロケーションにおいて現在アクティブではなく、会員予約を受け付けている、及び／又は、フリート間及びロケーション間で移動可能な）すべての利用可能な共用車両を見ることを可能にする。将来のある日時におけるフリート間の車両の移動は、バルク移動モジュール１２６を用いて計画及び／又は開始され得る。例えば、複数の車両又はすべての車両が、フリート内の１つのサービスロケーションから別のフリートのロケーション（例えばサービスロケーション又はアクティブな収益発生ロケーション）に同時に移動され得る。
【００５８】
バルク移動モジュール１２６は、車両がいつ（例えば、日時、時間の長さ及び／又は特定の時間）フリート（例えば第１のエンティティに関連する第１のフリート及び第２のエンティティに関連する第２のフリート）間で移動されたかを追跡し得る。バルク移動モジュール１２６は、利用度、ダウンタイム、保守費用、駐車費用、保険、及び減価償却費を適切なエンティティに帰属できるように、追跡情報を使用して各車両が各フリートに所持されていた時間を計算し得る。
【００５９】
幾つかの実施態様において、バルク配備モジュール１２４は、ロケーション（例えばサービスロケーション又はステージングロケーション及びアクティブな収益発生ロケーション）間で１台以上の車両を同時に移動できる配備ツールである。バルク配備モジュール１２４は、ロケーション間における複数の共用資産の派遣を、データベース１０４に格納され、１つ以上の共用資産に関連するロケーションデータ１１２をフリート内の第１のロケーションからそのフリート内の第２のロケーションに変更することにより管理するように構成され得る。
【００６０】
例えば、バルク配備モジュール１２４は、サービスロケーションから収益発生ロケーションに複数の又はすべての車両を同時に配備することを可能にする。選択された日時にフリート内のサービスロケーションに現在あるすべての利用可能な車両が見られ得る。将来のある日におけるサービスロケーションからアクティブロケーションへのこれらの車両の配備は、バルク配備モジュール１２４を用いて計画及び／又は開始され得る。サービスロケーションへの返却の日にち及び／又は時間は、車両がもはや予約又はレンタル可能ではなくなる時に自動的にグリッドから外れるように指定され得る。幾つかの実施態様において、車両はいつ配備されたかが追跡され得る。例えば、配備及び返却の日時が追跡され得る。バルク配備モジュール１２４は、幾つかの実施態様において、利用度及びダウンタイムが正確に追跡され得るように、各車両がグリッド上にある又はグリッドから外れている時間を計算する。
【００６１】
コンピュータシステム１２０ａ及び／又は１２０ｂは、パーキングモジュールを含み得る。パーキングモジュールは、エンティティが駐車場供給者と結んだ契約の要素を追跡及び記録するのに使用され得る。要素は、車種（例えば、一般、大型、ワゴン車、及び／又は電気自動車）、車種ごとの料金、車種ごとの支払済みスペースの数、車種ごとの最小限及び最大限契約（該当する場合）、車種ごとの支払請求サイクル、及び車種ごとの契約の開始及び終了日を含み得る。幾つかの実施態様において、パーキングモジュールは、特定の車両又は車両モデルを車種と相関させるように割り当てるのに使用され得る。例えば、すべてのフォード・エスケープは、あるロケーションで「大型」に指定され得る。フォード・エスケープを（例えばバルク配備モジュール１２４を使用して）そのロケーションに移動させる時、フリート及びロケーションマネージャは、契約に基づく大型車両に利用可能なスペースの数がＸで、現在そのロケーションにある大型車両の数がＹであることを理解することができる。
【００６２】
図２は、２つ以上のエンティティ間で共用資産のフリートを共用するための例示的な方法２００の図である。共用資産は、共用車両（例えば、乗用車、トラック、及び／又はワゴン車）であり得る。幾つかの実施態様において、方法２００は、共用資産に関連する制御端末から、物理的に共用資産にアクセスする要求をコンピューティングデバイスのプロセッサにより受信すること（２０２）を含む。物理的に共用資産にアクセスする要求は、共用資産をロック解除する（例えば共用資産のドアをロック解除する）要求であり得る。幾つかの実施態様において、制御端末は、共用資産に関連するロック機構と相互作用して、信号に基づいて物理的に共用資産にアクセスできるように構成されている。
【００６３】
要求は、制御端末により要求を開始するのに使用される、ユーザ及び／又はデバイスに関連する識別子を含むことができる。制御端末により要求を開始するのに使用されるデバイスは、ＲＦＩＤ／ＮＦＣチップを備えたカード、又は携帯電話等のモバイル通信デバイス（例えばＮＦＣ、Ｂｌｕｅｔｏｏｔｈ、Ｗｉｆｉ、又は他の何らかの無線通信技術を搭載したスマートフォン）であってよい。
【００６４】
物理的に共用資産にアクセスする要求を受信した後、システムは、識別子が所定の時間窓（例えば要求を受信した時間は所定の時間窓に含まれる）の共用資産の予約に関連する識別子と実質的にマッチするかどうかを判断する（２０４）。例えば、車両共用会員は、２０１２年５月１１日火曜日の午後２時の予約をする。ユーザが制御端末に接続されたカードリーダの近傍に会員カードを置くと、システムは、要求が行われた（例えば会員がカードリーダの近傍にカードを置いた）時間が、予約の日時に関連する時間窓内であるかどうかを判断する。例えば、時間窓は、（車両が前のユーザにより返却されたと仮定して）予約の開始の一定時間（例えばプラスマイナス１５分）内としてよい。識別子が所定の時間窓の予約に関連する識別子と実質的にマッチする場合、システムは、ネットワーク（例えば無線インターネット接続、又はモバイルデータ接続）を介して共用資産へのアクセスを許可する信号を制御端末に送信し得る（２０６）。
【００６５】
識別子が有効であると判断した後、システムは、共用資産に関連するフリートデータを更新して、フリートデータを第１のエンティティ（例えば車両レンタルエンティティ）に関連する第１のフリートから第２のエンティティ（例えば車両共用エンティティ）に関連する第２のフリートに変更し得る（２０８）。また、システムは、第１のフリート及び第２のフリート間の共用資産の移動を追跡し得る。これは、共用資産がいつ配備された（例えば顧客により利用された、及び／又は収益発生ロケーションに配置された）かを追跡することを含み得る。システムは、共用資産の利用度、ダウンタイム、駐車費用、保険費用、保守費用及び／又は減価償却費を、共用資産が第１のフリート及び第２のフリートのそれぞれに割り当てられた時間に少なくとも部分的に基づいて計算し得る。
【００６６】
幾つかの実施態様において、方法２００は、制御端末から、共用資産を返却する要求を受信すること（２１０）と、共用資産に関連するフリートデータを更新して、フリートデータを第１のエンティティに関連する第１のフリートから第２のエンティティに関連する第２のフリートに変更すること（２１２）と、を含み得る。
【００６７】
幾つかの実施態様において、識別子が有効であると判断した後、システムは、共用資産に関連する（例えばダウンタイム及び利用度を追跡するのに使用される）ロケーションデータを更新して、ロケーションデータをフリート内の第１のロケーション（例えば収益ロケーション）からそのフリート内の第２のロケーション（例えばサービスロケーション又はステージングロケーション）に変更する。例えば、保守技術員が保守のために車両を収益ロケーションからサービスロケーションに移動できるように予約を行うことができる。保守技術員は、適切な時間に車両を訪れ、会員カードをカードリーダに近づけることができる。技術員の予約を確認した後、ロケーションデータは、共用資産がサービスロケーションにあるものとして示されるように更新することができる。幾つかの実施態様において、この情報は、フリート共用プラットフォームに参加する各エンティティのシステムに反映することができる。幾つかの実施態様において、ロケーションデータは、車両が新しいロケーションに到着し、システムに再度チェックインする（例えば技術員が車両をサービスロケーションに持って行き、会員カードをカードリーダに近づけて車両がサービスロケーションにあることを確認する）まで変更されない。
【００６８】
ロケーションデータは、駐車場、駐車スポット、サービスロケーション、ステージングロケーション、区、州、市、町、大都市圏、郡、及び／又は国を含み得る。ロケーション間の共用資産の移動は、システムにより追跡され得る。例えばシステムは、共用資産がいつサービスロケーション又はステージングロケーションから収益発生ロケーションに移動されたかを追跡し得る。また、利用度、ダウンタイム、駐車費用、保険費用、保守費用及び減価償却費は、共用資産がロケーション（例えば第１のロケーション及び第２のロケーション）に割り当てられた時間に少なくとも部分的に基づいて計算され得る。
【００６９】
図３は、車両にアクセスする要求を受信した時に、２つのフリート間で共用車両を自動的に移動させるための例示的なシステムの図である。幾つかの実施態様において、ユーザは、アクセスカード３１８を使用して共用車両３１４へのアクセスを要求し得る。アクセスカードは、共用車両３１４のカードリーダから適切な距離に提示され得る。幾つかの実施態様において、ユーザは、携帯電話を使用して、アクセスする要求を共用車両３１４のレシーバに送信し得る。幾つかの実施態様において、共用車両３１４の制御端末３１６が要求を受信し、要求が有効である（例えばユーザの所定時間における車両の予約が有効である）かを判断するために要求を処理する。幾つかの実施態様において、制御端末３１６は、ユーザに関する情報をネットワーク３５０を介してコンピューティングシステム３２０に中継し、そこで要求が有効であるかを判断するために情報が処理される。ネットワーク３５０は無線ネットワーク（例えばｗｉｆｉ、３Ｇ、４Ｇ、又は他の無線データ接続）であり得る。コンピューティングシステム３２０は、図１に関連して説明したようなバルク配備モジュール３２４、バルク移動モジュール３２６、予約モジュール３２２、及び／又はアクセスモジュール３２８を含み得る。コンピューティングシステム３２０は、アクセスモジュール３２８を使用して、要求をデータベース３０４の予約データ３０８と比較し得る。データベース３０４は、図１に関連して説明したような予約データ３０８、フリートデータ３１０、予約状況データ３０６、及びロケーションデータ３１２を含み得る。
【００７０】
幾つかの実施態様において、要求が有効である場合、バルク移動モジュール３２６は、２つのフリート間で共用車両を移動させる。バルク移動モジュール３２６は、第１のエンティティ及び第２のエンティティ間の共用資産の移動を、共用資産に関連するフリートデータ３１０を第１のエンティティに関連する第１のフリートから第２のエンティティに関連する第２のフリートに変更することにより管理するように構成され得る。したがって、幾つかの実施態様において、共用車両は、アクセスカード３１８が適切なカードリーダから特定の距離内に提示され、車両へのアクセスを許可すべきであると判断されると、２つのフリート間で自動的に移動され得る。また、幾つかの実施態様において、要求が有効であると判断されると、車両へのアクセスがアクセスカード３１８の所持人に許可され得る。例えば、共用車両のドアがロック解除され得る。制御端末３１６は、幾つかの実施態様において、要求が有効であるとの判断に応答してドアをロック解除し得る。
【００７１】
幾つかの実施態様において、バルク配備モジュール３２４は、要求が有効であるとの判断に応答して、ロケーション（例えば、サービスロケーション又はステージングロケーション及びアクティブな収益発生ロケーション）間で共用車両を自動的に移動させる。バルク配備モジュール３２４は、共用車両の派遣を、共用車両に関連するロケーションデータ３１２をフリート内の第１のロケーション（例えばサービスロケーション）からそのフリート内の第２のロケーション（例えば収益ロケーション）に変更することにより管理するように構成され得る。幾つかの実施態様において、バルク移動モジュールは、要求が有効であるとの判断に応答して、フリート間で共用資産を移動させ、バルク配備モジュールは、ロケーション間で共用資産を移動させる。フリート間及びロケーション間の移動は、同時に又は順々に行われ得る。
【００７２】
図４は、２つ以上のエンティティ間で共用資産のフリートを共用するための例示的な方法４００の図である。例えば、方法は、フリート間での費用の計算が適切に処理され得るように、フリート間で複数の車両を移動させるのに使用され得る。幾つかの実施態様において、方法４００は、データベースに格納され、複数の共用資産に関連するフリートデータを第１のエンティティに関連する第１のフリートから第２のエンティティに関連する第２のフリートに変更することにより、第１のエンティティ及び第２のエンティティ間で複数の共用資産を移動させる要求を受信すること（４０２）を含む。システムは、要求に応答して、複数の共用資産に関連するフリートデータを更新して、フリートデータを第１のフリートから第２のフリートに変更し得る（４０４）。幾つかの実施態様において、方法４００は、利用度、ダウンタイム、駐車費用、保険費用、保守費用及び減価償却費のうちの少なくとも１つを、複数の共用資産のそれぞれが第１のフリート及び第２のフリートのそれぞれに割り当てられた時間（例えば時間の長さ）に少なくとも部分的に基づいて計算すること（４０６）を含む。
【００７３】
幾つかの実施態様において、方法４００は、複数の共用資産を第１のフリート及び第２のフリートのうちの１つから選択されたフリート内の第１のロケーションから、選択されたフリート内の第２のロケーションに派遣する要求を受信することを含む。システムは、要求の受信に応答して、複数の共用資産のそれぞれに関連するロケーションデータを更新して、ロケーションデータを選択されたフリート内の第１のロケーション（例えばサービスロケーション）から、選択されたフリート内の第２のロケーション（例えば収益ロケーション）に変更し得る。第１のロケーションは、サービスロケーション及び／又はステージングロケーションであり、第２のロケーションは、収益発生ロケーションであり得るが、逆の場合もある。複数の共用資産のそれぞれのロケーションデータは、駐車場、駐車スポット、サービスロケーション、ステージングロケーション、区、州、市、町、大都市圏、郡、及び国であり得る。
【００７４】
図５は、２つのエンティティ間でフリートを共用するための例示的なシステム５００の図である。この実施例において、共用資産は車両であるが、飛行機、列車、自転車、オートバイ、及びボート等の他の資産がほぼ類似のシステムに使用され得る。幾つかの実施態様において、第１のエンティティ５１８が車両５１６のフリートを有し、第２のエンティティ５３８が車両５３６のフリートを有し得る。第３の車両５４２の組が、１台以上の共用車両（例えば共用車両５４２ａ〜ｃ）を含む。共用車両５４２の組は、第１のエンティティ５１８又は第２のエンティティ５３８のいずれかにより異なる時間に使用され得る。共用車両５４２の組の共用車両５４２は、エンティティにより使用される時、そのエンティティのフリートの一部と見なされる。幾つかの実施態様において、共用車両５４２の組の各車両５４２ａ〜ｃは、常にエンティティに割り当てられているが、２つのエンティティのニーズに基づいてフリート間で移動され得る。例えば、車両共用サービス及び車両レンタル会社のニーズは、共用車両５４２がエンティティ間で移動され、共用車両５４２が特定の日時にどちらのフリートに割り当てられているかによって、顧客がレンタル車両として又は車両共用サービスで共用車両５４２を予約及び利用し得るように相補的であり得る。幾つかの実施態様において、共用車両５４２はエンティティにより共同所有される。
【００７５】
幾つかの実施態様において、共用車両５４２のフリートは、フリート共用プログラムに参加するエンティティ（例えばエンティティ５１８又はエンティティ５３８）のうちの１つにより所有され得る。例えば、第１のエンティティ５１８は車両レンタル会社であり得る。車両レンタルエンティティは、車両５１６の組と共用フリート５４２とを所有し得る。しかしながら、車両レンタルエンティティは、共用フリート５４２のみを第２のエンティティ５３８（例えば車両共用会社）と共用することを許可し得る。幾つかの実施態様において、両エンティティは、車両を共用フリート５４２に提供する。
【００７６】
幾つかの実施態様において、第１のエンティティ５１８のフリート５１６は、第１の車両管理システム５０２と通信モジュール５１４を介して通信する。第２のエンティティ５３８のフリート５３６は、第１の車両管理システム５２２と通信モジュール５３４を介して通信し得る。通信モジュール５１４及び５３４は、無線データ接続及び／又はｗｉｆｉを使用して１つ以上の車両フリートと通信し得る。幾つかの実施態様において、車両フリートは、無線データ接続又はｗｉｆｉを使用してレシーバモジュールと通信する。レシーバモジュールは、通信モジュール５１４及び５３４に（有線又は無線で）接続され得る。異なる通信システムが、各通信モジュール５１４及び５３４に使用され得る。
【００７７】
通信モジュール５１４及び５３４は、ネットワーク５５０を介して互いに通信し得る。ネットワーク５５０は、インターネット又はイントラネットであり得る。通信モジュール５１４及び５３４は、とりわけ各共用車両５４２が重複して予約されないことを保証するように互いに通信し得る。幾つかの実施態様において、通信モジュール５１４及び５３４は、各データベース５０４及び５２４のフリートデータ５１０及び５３０がそれぞれ正確であることを保証するように互いに通信する。幾つかの実施態様において、車両管理システム５０２及び５２２はいずれも、他方の車両管理システムにデータを追加し、他方の車両管理システムをポーリングする。これにより、２つの車両管理システム５０２及び５２２間で共有されるデータが異なる時間の長さが減少する。
【００７８】
各データベース５０４及び５２４は、図１に関連して説明したような予約状況データ５０６及び５２６、予約データ５０８及び５２８、及びロケーションデータ５１２及び５３２を含み得る。幾つかの実施態様において、複数のエンティティが、車両管理システムを共有し、重複したシステムの必要性を排除し得る。幾つかの実施態様において、エンティティは、車両管理システムを他の部分を独立した別個のものとした状態で部分的に共有し得る。例えば、各エンティティは、独自の予約データベースを保持し得るが、ロケーションデータ及びフリートデータを格納するデータベースは共有することができる。
【００７９】
図６に示すように、フリート間での資産の共用に使用するネットワーク環境６００の実施態様が示され、説明される。これから図６を簡単に概観して参照すると、例示的なクラウドコンピューティング環境６００のブロック図が示され、説明される。クラウドコンピューティング環境６００は、１つ以上の資源プロバイダ６０２ａ、６０２ｂ、６０２ｃ（まとめて６０２）を含み得る。各資源プロバイダ６０２は、コンピューティング資源を含み得る。幾つかの実施態様において、コンピューティング資源は、データを処理するのに使用される任意のハードウェア及び／又はソフトウェアを含み得る。例えば、コンピューティング資源は、アルゴリズム、コンピュータプログラム、及び／又はコンピュータアプリケーションを実行可能なハードウェア及び／又はソフトウェアを含み得る。幾つかの実施態様において、例示的なコンピューティング資源は、格納及び検索機能を備えるアプリケーションサーバ及び／又はデータベースを含み得る。各資源プロバイダ６０２は、クラウドコンピューティング環境６００のその他の資源プロバイダ６０２に接続され得る。幾つかの実施態様において、資源プロバイダ６０２は、コンピュータネットワーク６０８を介して接続され得る。各資源プロバイダ６０２は、コンピュータネットワーク６０８を介して１つ以上のコンピューティングデバイス６０４ａ、６０４ｂ、６０４ｃ（まとめて６０４）に接続され得る。
【００８０】
クラウドコンピューティング環境６００は、資源マネージャ６０６を含み得る。資源マネージャ６０６は、コンピュータネットワーク６０８を介して資源プロバイダ６０２及びコンピューティングデバイス６０４に接続され得る。幾つかの実施態様において、資源マネージャ６０６は、１つ以上の資源プロバイダ６０２による１つ以上のコンピューティングデバイス６０４へのコンピューティング資源の供給を促進し得る。資源マネージャ６０６は、特定のコンピューティングデバイス６０４からコンピューティング資源の要求を受信し得る。資源マネージャ６０６は、コンピューティングデバイス６０４により要求されたコンピューティング資源を供給可能な１つ以上の資源プロバイダ６０２を特定し得る。資源マネージャ６０６は、資源プロバイダ６０２を選択してコンピューティング資源を供給し得る。資源マネージャ６０６は、資源プロバイダ６０２及び特定のコンピューティングデバイス６０４間の接続を促進し得る。幾つかの実施態様において、資源マネージャ６０６は、特定の資源プロバイダ６０２及び特定のコンピューティングデバイス６０４間の接続を確立し得る。幾つかの実施態様において、資源マネージャ６０６は、特定のコンピューティングデバイス６０４を、要求されたコンピューティング資源を有する特定の資源プロバイダ６０２にリダイレクトし得る。
【００８１】
図７は、本開示で説明される技術を実施するのに使用できるコンピューティングデバイス７００及びモバイルコンピューティングデバイス７５０の例を示す。コンピューティングデバイス７００は、ラップトップ、デスクトップ、ワークステーション、パーソナルデジタルアシスタント、サーバ、ブレードサーバ、メインフレーム、及び他の適切なコンピュータ等、デジタルコンピュータの各種形式を示すことを意図する。モバイルコンピューティングデバイス７５０は、パーソナルデジタルアシスタント、携帯電話、スマートフォン、及び他の類似のコンピューティングデバイス等、モバイルデバイスの各種形式を示すことを意図する。ここに示す構成要素、その接続及び関係、及びその機能は、単に例示目的であって、限定することを目的としない。
【００８２】
コンピューティングデバイス７００は、プロセッサ７０２、メモリ７０４、格納デバイス７０６、メモリ７０４と複数の高速拡張ポート７１０とに接続する高速インターフェース７０８、及び低速拡張ポート７１４と格納デバイス７０６とに接続する低速インターフェース７１２を含む。プロセッサ７０２、メモリ７０４、格納デバイス７０６、高速インターフェース７０８、高速拡張ポート７１０、及び低速インターフェース７１２のそれぞれは、各種バスを使用して相互接続され、共通のマザーボード上に、又は他の適切な方法で搭載され得る。プロセッサ７０２は、メモリ７０４内又は格納デバイス７０６上に格納される命令を含む、コンピューティングデバイス７００内で実行に関する命令を処理し、高速インターフェース７０８に連結されるディスプレイ７１６のような外部入出力デバイス上にＧＵＩに関するグラフィック情報を表示することができる。他の実施態様において、複数のメモリ及びメモリの種類と共に、複数のプロセッサ及び／又は複数のバスが適切に使用され得る。また、複数のコンピューティングデバイスは、必要な動作の一部を提供する各デバイス（例えば、サーババンク、ブレードサーバのグループ、又はマルチプロセッサシステム）に接続され得る。
【００８３】
メモリ７０４は、コンピューティングデバイス７００内に情報を格納する。幾つかの実施態様において、メモリ７０４は、１つ以上の揮発性メモリユニットである。幾つかの実施態様において、メモリ７０４は、１つ以上の不揮発性メモリユニットである。メモリ７０４はまた、磁気又は光学ディスク等、コンピュータ可読媒体の他の形式であり得る。
【００８４】
格納デバイス７０６は、コンピューティングデバイス７００に大容量ストレージを提供することができる。幾つかの実施態様において、格納デバイス７０６は、フロッピーディスクデバイス、ハードディスクデバイス、光学ディスクデバイス、又はテープデバイス、フラッシュメモリ又は他の類似の固体メモリデバイス、又はストレージエリアネットワーク又は他の構成のデバイスを含むデバイスアレイ等、コンピュータ可読媒体であるか、又はこれを含み得る。命令は情報キャリアに格納することができる。命令は、１つ以上のプロセッシングデバイス（例えばプロセッサ７０２）により実行される時、上述したような１つ以上の方法を行う。命令はまた、コンピュータ又は機械可読媒体等の１つ以上の格納デバイス（例えばメモリ７０４、格納デバイス７０６、又はプロセッサ７０２のメモリ）により格納することができる。
【００８５】
高速インターフェース７０８は、コンピューティングデバイス７００に対する帯域幅集中動作を管理し、一方低速インターフェース７１２は、比較的低い帯域幅集中動作を管理する。機能のこのような割り当ては、単なる例示である。幾つかの実施態様において、高速インターフェース７０８は、メモリ７０４、（例えばグラフィックプロセッサ又はアクセラレータを介して）ディスプレイ７１６、及び高速拡張ポート７１０に連結され、ポート７１０は、各種拡張カード（図示せず）を受け入れ得る。実施態様では、低速インターフェース７１２は、格納デバイス７０６及び低速拡張ポート７１４に連結される。各種通信ポート（例えば、ＵＳＢ、ブルートゥース（登録商標）、イーサネット、無線イーサネット）を含み得る低速拡張ポート７１４は、キーボード、ポインティングデバイス、スキャナ、又は例えばネットワークアダプタを介するスイッチ又はルータのようなネットワーキングデバイス等、１つ以上の入出力デバイスに連結され得る。
【００８６】
コンピューティングデバイス７００は、図示の通り、複数の異なる形式で実装され得る。例えば、それは、標準サーバ７２０として、又はそのようなサーバのグループで複数回実装され得る。また、それは、ラップトップコンピュータ７２２のようなパーソナルコンピュータで実装され得る。それはまた、ラックサーバシステム７２４の一部として実装され得る。代わりに、コンピューティングデバイス７００からの構成要素は、モバイルコンピューティングデバイス７５０のようなモバイルデバイスの他の構成要素（図示せず）に結合され得る。このようなデバイスのそれぞれは、１つ以上のコンピューティングデバイス７００及びモバイルコンピューティングデバイス７５０を含み得、全システムは、互いに通信する複数のコンピューティングデバイスから構成され得る。
【００８７】
モバイルコンピューティングデバイス７５０は、他の構成要素の中で、プロセッサ７５２、メモリ７６４、ディスプレイ７５４のような入出力デバイス、通信インターフェース７６６、及びトランシーバ７６８を含む。モバイルコンピューティングデバイス７５０にはまた、追加のストレージを提供するためにマイクロドライブ又は他のデバイスのような格納デバイスが設けられ得る。プロセッサ７５２、メモリ７６４、ディスプレイ７５４、通信インターフェース７６６、及びトランシーバ７６８のそれぞれは、各種バスを使用して相互接続され、幾つかの構成要素は、共通のマザーボード上に、又は他の適切な方法で搭載され得る。
【００８８】
プロセッサ７５２は、メモリ７６４に格納される命令を含む命令を、モバイルコンピューティングデバイス７５０内で実行することができる。プロセッサ７５２は、分離した複数のアナログ及びデジタルプロセッサを含むチップのチップセットとして実装され得る。プロセッサ７５２は、例えば、ユーザインタフェース、モバイルコンピューティングデバイス７５０によって動作するアプリケーション、及びモバイルコンピューティングデバイス７５０による無線通信の制御等、モバイルコンピューティングデバイス７５０の他の構成要素の調整を行い得る。
【００８９】
プロセッサ７５２は、ディスプレイ７５４に連結される制御インターフェース７５８及びディスプレイインターフェース７５６を介してユーザと通信し得る。ディスプレイ７５４は例えば、ＴＦＴ（薄膜トランジスタ液晶ディスプレイ）ディスプレイ又はＯＬＥＤ（有機発光ダイオード）ディスプレイ、又は他の適切なディスプレイ技術であり得る。ディスプレイインターフェース７５６は、グラフィック情報及び他の情報をユーザに提示するために、ディスプレイ７５４を駆動する適切な回路を含み得る。制御インターフェース７５８は、ユーザからコマンドを受け取り、プロセッサ７５２へ提供するためにそれらを変換し得る。また、外部インターフェース７６２は、プロセッサ７５２との通信を提供し、他のデバイスに対するモバイルコンピューティングデバイス７５０の近接通信を可能にする。外部インターフェース７６２は例えば、幾つかの実施態様において有線通信を提供し、他の実施態様において無線通信を提供し得、複数のインターフェースも使用され得る。
【００９０】
メモリ７６４は、モバイルコンピューティングデバイス７５０内に情報を格納する。メモリ７６４は、１つ以上のコンピュータ可読媒体、１つ以上の揮発性メモリユニット、又は１つ以上の不揮発性メモリユニットのうちの１つ以上として実装することができる。拡張メモリ７７４がさらに提供され、拡張インターフェース７７２を介してモバイルコンピューティングデバイス７５０に接続され得、拡張インターフェース７７２は例えば、ＳＩＭＭ（シングルインラインメモリモジュール）カードインタフェースを含み得る。拡張メモリ７７４は、モバイルコンピューティングデバイス７５０に対して追加の格納スペースを提供し得る、又はさらにモバイルコンピューティングデバイス７５０に関するアプリケーション又は他の情報を格納し得る。特に、拡張メモリ７７４は、上述したプロセスを実行又は補足するための命令を含み、セキュア情報も含み得る。故に例えば、拡張メモリ７７４は、モバイルコンピューティングデバイス７５０に関するセキュリティモジュールとして提供され得、モバイルコンピューティングデバイス７５０の安全な使用を可能にする命令でプログラムされ得る。また、セキュアアプリケーションは、ハッキング不可能な方法でＳＩＭＭカード上に識別情報を設定する等、追加情報と共にＳＩＭＭカードを介して提供され得る。
【００９１】
メモリは例えば、下記の通り、フラッシュメモリ及び／又はＮＶＲＡＭメモリ（不揮発性ランダムアクセスメモリ）を含み得る。幾つかの実施態様において、命令は情報キャリアに格納され、１つ以上のプロセッシングデバイス（例えばプロセッサ７５２）により実行される時、上述したような１つ以上の方法を行う。命令はまた、１つ以上のコンピュータ又は機械可読媒体等の１つ以上の格納デバイス（例えばメモリ７６４、拡張メモリ７７４、又はプロセッサ７５２のメモリ）により格納することができる。幾つかの実施態様において、命令は、例えばトランシーバ７６８又は外部インターフェース７６２を介して伝搬信号で受信することができる。
【００９２】
モバイルコンピューティングデバイス７５０は、必要に応じてデジタル信号処理回路を含み得る通信インターフェース７６６を介して無線通信し得る。通信インターフェース７６６は、ＧＳＭ音声呼（グローバルシステムフォーモバイルコミュニケーションズ）、ＳＭＳ（ショートメッセージサービス）、ＥＭＳ（エンハンストメッセージングサービス）、又はＭＭＳメッセージング（マルチメディアメッセージングサービス）、ＣＤＭＡ（符号分割多重アクセス）、ＴＤＭＡ（時分割多重アクセス）、ＰＤＣ（パーソナルデジタルセルラー）、ＷＣＤＭＡ（広帯域符号分割多重アクセス）、ＣＤＭＡ２０００又はＧＰＲＳ（汎用パケット無線サービス）その他等、各種モード又はプロトコル下の通信を提供し得る。このような通信は例えば、無線周波数を使用するトランシーバ７６８を介して生じ得る。また、短距離通信は、例えばブルートゥース（登録商標）、ＷｉＦｉ（登録商標）、又は他のそのようなトランシーバ（図示せず）を使用して生じ得る。また、ＧＰＳ（全地球測位システム）受信モジュール７７０は、必要に応じてモバイルコンピューティングデバイス７５０上で動作するアプリケーションにより使用され得る追加のナビゲーション及び位置関連無線データをモバイルコンピューティングデバイス７５０に提供し得る。
【００９３】
モバイルコンピューティングデバイス７５０はまた、ユーザから話された情報を受信して有用なデジタル情報にそれを変換し得る音声コーデック７６０を使用して音声認識可能に通信し得る。音声コーデック７６０は同様に、例えばモバイルコンピューティングデバイス７５０のハンドセットのスピーカーを介して、ユーザに対して可聴音を生成し得る。そのような音は、音声電話呼からの音、記録された音（例えば、音声メッセージ、音楽ファイル等）、またモバイルコンピューティングデバイス７５０上で動作するアプリケーションにより生成された音を含み得る。
【００９４】
モバイルコンピューティングデバイス７５０は、図示の通り、複数の異なる形式で実装され得る。例えば、携帯電話７８０として実装され得る。また、スマートフォン７８２、パーソナルデジタルアシスタント、又は他の類似のモバイルデバイスの一部として実装され得る。
【００９５】
ここに記載したシステム及び技法の各種実装は、デジタル電子回路、集積回路、専用に設計されたＡＳＩＣ（特定用途向け集積回路）、コンピュータハードウェア、ファームウェア、ソフトウェア、及び／又はその組み合わせで実現することができる。これら各種実装は、専用又は汎用目的で、格納システム、少なくとも１つの入力デバイス、及び少なくとも１つの出力デバイスに対して、データ及び命令の受信及び送信を行うように結合された少なくとも１つのプログラマブルプロセッサを含むプログラマブルシステム上で実行可能及び／又は解釈可能な１つ以上のコンピュータプログラムでの実装を含むことができる。
【００９６】
これらのコンピュータプログラム（プログラム、ソフトウェア、ソフトウェアアプリケーション又はコードとしても知られる）は、プログラマブルプロセッサに対する機械命令を含み、高レベルプロシージャ及び／又はオブジェクト指向プログラム言語、及び／又はアセンブリ／機械言語で実装することができる。ここで使用される通り、機械可読媒体及びコンピュータ可読媒体という用語は、機械可読信号として機械命令を受信する機械可読媒体を含む、プログラマブルプロセッサに機械命令及び／又はデータを提供するために使用される任意のコンピュータプログラム製品、装置及び／又はデバイス（例えば、磁気ディスク、光学ディスク、メモリ、プログラマブル論理デバイス（ＰＬＤ））を指す。機械可読信号という用語は、プログラマブルプロセッサに機械命令及び／又はデータを提供するために使用される任意の信号を指す。
【００９７】
ユーザとの対話を提供するために、ここで説明されたシステム及び技法は、ユーザに情報を表示するためのディスプレイデバイス（例えば、ＣＲＴ（ブラウン管）又はＬＣＤ（液晶ディスプレイ）モニタ）、及びユーザがコンピュータに入力できるキーボード及びポインティングデバイス（例えば、マウス又はトラックボール）を有するコンピュータ上で実装することができる。他の種類のデバイスを使用してユーザとの対話を提供することができ、例えば、ユーザに提供されるフィードバックは、感覚フィードバックの任意形式（例えば、視覚フィードバック、聴覚フィードバック、又は触覚フィードバック）でもよく、ユーザからの入力は、音響、音声、又は触覚入力を含む任意形式で受信することができる。
【００９８】
ここで説明されたシステム及び技法は、（例えば、データサーバとして）バックエンド構成要素、ミドルウェア構成要素（例えば、アプリケーションサーバ）、フロントエンド構成要素（例えば、ユーザがここで説明されたシステム及び技法の実装と対話できるグラフィカルユーザインタフェース又はウェブブラウザを有するクライアントコンピュータ）、又はそのようなバックエンド、ミドルウェア、又はフロントエンド構成要素の任意の組み合わせを含むコンピューティングシステムで実装することができる。システムの構成要素は、デジタルデータ通信の任意形式又は媒体（例えば、通信ネットワーク）によって相互接続することができる。通信ネットワークの例は、ローカルエリアネットワーク（ＬＡＮ）、広域ネットワーク（ＷＡＮ）、及びインターネットを含む。
【００９９】
コンピューティングシステムは、クライアント及びサーバを含むことができる。クライアント及びサーバは一般に、互いに離れており、通常、通信ネットワークを介して対話する。クライアント及びサーバの関係は、各コンピュータ上で動作し、互いにクライアント‐サーバ関係を有するコンピュータプログラムによって生じる。
【０１００】
ここで説明されたシステム及び方法の構造、機能及び装置を考慮して、幾つかの実施態様において、フリート間で資産を共用するためのシステム及び方法が提供される。フリート共用を支援する方法及び装置の特定の実施態様を説明したが、本開示の概念を組み込んだ他の実施態様が使用され得ることは当事者に明らかになるだろう。したがって、本開示は特定の実施態様に限定されるべきではなく、むしろ添付の請求項の精神及び範囲によってのみ限定されるべきである。
【０１０１】
また、明細書の全体を通して、装置及びシステムが特定の構成要素を有する、含む、又は備えるものとして記述されている場合、又はプロセス及び方法が特定のステップを有する、含む、又は備えるものとして記述されている場合には、記載された構成要素から本質的に成る、又はそれから成る、開示された技術の装置及びシステムが存在すること、及び記載された処理ステップから本質的に成る、又はそれから成る、開示された技術に係るプロセス及び方法が存在することもまた企図されている。
【０１０２】
ステップの順序又は特定のアクションを実行するための順序は、開示される技術が実施可能である限り重要ではないことが理解されるべきである。さらに、２つ以上のステップ又はアクションが同時に実施され得る。
【図１】
2017519270.tif 000003
【図２】
2017519270.tif 000004
【図３】
2017519270.tif 000005
【図４】
2017519270.tif 000006
【図５】
2017519270.tif 000007
【図６】
2017519270.tif 000008
【図７】
2017519270.tif 000009
【国際調査報告】
2017519270.tif 000010
2017519270.tif 000011
2017519270.tif 000012